(57)【要約】【課題】害獣の脚を締め付けるループ部が縮径する際に、その高さ方向の位置が当初の位置から上昇するように案内されることで、捕獲効率を向上させるくくり罠を提供する。【解決手段】外筒２と、外筒２に収容され、踏板４が内部に設けられる内筒３と、くくり金具５を介して一端に内筒３を周回するループ部６ａが形成されるワイヤー６と、くくり金具５よりも他端寄りのワイヤー６に腕部７ａ，７ｂが取り付けられ、ループ部６ａが内筒３から外れた場合に、ループ部６ａを縮径するねじりばね７と、内筒３の内周に配置される支軸８ａを介して内筒３に取り付けられる１個の枠体９を備え、枠体９は、その胴部に、内筒３の内周面３ｂを超えてはみ出すはみ出し部１０が形成され、害獣が踏板４を踏み付ける場合に、内筒３から外れたループ部６ａがはみ出し部１０に掛止され、枠体９を支軸８ａを中心として回動させる。【選択図】図１
0003210351.tif 000002
【実用新案登録請求の範囲】
【請求項１】
所定の場所に設置される外筒と、この外筒に収容され、害獣が踏み付ける踏板が内部に設けられる内筒と、くくり金具を介して一端に前記内筒を周回するループ部が形成されるワイヤーと、前記くくり金具よりも他端寄りの前記ワイヤーに両腕が取り付けられ、前記ループ部が前記内筒から外れた場合に、前記ループ部を縮径する弾性体と、を備えるくくり罠であって、
前記内筒の内周に配置される一対の支軸を介して前記内筒に取り付けられる１個の枠体を備え、
この枠体は、その胴部に、前記内筒の内周面を超えてはみ出すはみ出し部が形成され、
前記害獣が前記踏板を踏み付ける場合に、前記内筒から外れた前記ループ部が前記はみ出し部に掛止され、前記枠体を前記支軸を中心として回動させることを特徴とするくくり罠。
【請求項２】
前記はみ出し部は、前記ループ部が掛止される掛止部が設けられることを特徴とする請求項１に記載のくくり罠。
【請求項３】
前記内筒は、その上縁の一部に、この上縁と平行する切り欠きが形成され、
前記はみ出し部は、前記切り欠きを介して前記内筒の前記内周面を超えてはみ出すことを特徴とする請求項１又は請求項２に記載のくくり罠。
【請求項４】
前記はみ出し部は、その外周面に前記ループ部が掛止される溝部が刻設されることを特徴とする請求項３に記載のくくり罠。
【考案の詳細な説明】
【技術分野】
【０００１】
本考案は、外筒及び内筒と、弾性体で縮径されるループ部が害獣の脚部を締め付けるワイヤーと、を備えて害獣を捕獲するくくり罠に係り、特に、ループ部が縮径する際に、ループ部の高さ方向の位置が当初の位置から上昇するように案内されるくくり罠に関する。
【背景技術】
【０００２】
従来、鹿や猪といった害獣の捕獲装置として、実開昭５４−４７６号公報（特許文献１）や特開２００７−３７４２３号公報（特許文献２）に開示されるようなくくり罠が開発されてきた。
特許文献１（実開昭５４−４７６号公報）に記載の獣類捕獲器では、害獣が陥し穴の上面に配置されたワイヤーの輪奈の中に脚を踏み込むと、輪奈が陥し穴の中に押し込まれることに伴って重錘が落下する。これにより、輪奈は縮径し、脚が締め付けられることで害獣が捕獲される。しかし、この獣類捕獲器では重錘の落下作用を利用していることから、陥し穴に脚を踏み込んでから実際に輪奈が縮径するまで、ある程度の時間を必要とする。そのため、脚が輪奈の中に一旦入っていても、害獣が脚を素早く持ち上げた場合には、輪奈が縮径するタイミングがこれに間に合わず、害獣に逃げられてしまうという課題があった。また、特許文献２（特開２００７−３７４２３号公報）に記載の捕獣用罠では、構造が複雑であるために、地面を掘り下げる作業に手間取るという課題があった。
そこで、近年、確実に害獣を捕獲可能であり、かつ簡易な構成のくくり罠について研究や開発が行われており、それに関して既に発明が開示されている。
【０００３】
例えば、非特許文献１には、ねじりばねを利用したくくり罠に関する発明が開示されている。
非特許文献１に開示された発明は、土中に埋設される外パイプと、この外パイプに収容される内パイプと、この内パイプに周回するループ部が形成される仕掛けワイヤーと、この仕掛けワイヤーに両腕が取り付けられるねじりばねと、を備えることを特徴とする。
このような構造のくくり罠においては、内パイプの内部に設けられた踏板を害獣が踏むと、ループ部の中に脚が入り込むとともに、内パイプが外パイプの下方に落下する。これにより、ループ部が外パイプによって上方に押し上げられ、内パイプから外れることとなる。外されたループ部は、ねじりばねの弾性により瞬時に縮径するため、害獣の脚がループ部によって締め付けられる。このように、ループ部は、従来の重錘を用いたくくり罠よりも迅速に縮径するので、害獣の捕獲効率を向上させることができる。また、本発明のくくり罠は、簡易な構成であるため、これを地中に埋設する作業も容易である。
【０００４】
次に、非特許文献２にも、ねじりばねを利用したくくり罠に関する発明が開示されている。
非特許文献２に開示された発明は、土表面に設置される筒体と、この筒体に収容される踏板と、この踏板の表面にそれぞれ基端が取り付けられ、踏板の表面に対して回動する一対の円弧状部材と、この一対の円弧状部材に周回するループ部が形成されるワイヤーと、このワイヤーに両腕が取り付けられるねじりばねと、を備えることを特徴とする。
このような構造のくくり罠においては、一対の円弧状部材を、環状をなすように広げて筒体の上縁に設置すると、踏板の表面は筒体の上縁と同一高さに位置することとなる。このとき、害獣が踏板を踏むと、ループ部の中に脚が入り込むとともに、踏板が筒体の下方に落下する。これにより、一対の円弧状部材がそれぞれ筒体の上縁に衝突し、互いに合わさるように回動する。そのため、ループ部は、一対の円弧状部材によって筒体の上縁よりも高い位置に上昇するように案内された後、これらの円弧状部材から外れることとなる。外れたループ部は、ねじりばねの弾性により瞬時に縮径するため、害獣の脚がループ部によって締め付けられる。
したがって、非特許文献２に開示された発明は、非特許文献１に開示された発明の効果に加え、ループ部は筒体上縁よりも高い位置で縮径することから、害獣が脚を素早く持ち上げた場合であっても、この動作に追随し、脚を締め付けることができる。
【先行技術文献】
【特許文献】
【０００５】
【特許文献１】実願昭５２−７４０８２（実開昭５４−４７６号）のマイクロフィルム
【特許文献２】特開２００７−３７４２３号公報
【非特許文献】
【０００６】
【非特許文献１】オーエスピー商会、“くくり罠  しまるくん”、［on line］、［平成２８年９月８日検索］、インターネット＜http://www.osptrap.co.jp/product/index.html＞
【非特許文献２】有限会社ワイヤレス南海、“穴を掘らないくくり罠  シシバサミ  ＮＰ−１０”、［on line］、［平成２８年９月８日検索］、インターネット＜http://nankai.ocnk.net/product/667＞
【考案の概要】
【考案が解決しようとする課題】
【０００７】
しかしながら、非特許文献１に開示されたくくり罠においては、ループ部は、内パイプの上縁の直上で縮径するため、ループ部が縮径するよりも素早く害獣の脚がループ部から抜け出し、害獣を捕獲できない場合がある。
【０００８】
また、非特許文献２に開示されたくくり罠においては、一対の円弧状部材が互いに合わさるように回動するとき、ループ部がこれら円弧状部材から下方に脱落する場合がある。この場合、ループ部は、筒体の上縁よりも高い位置に案内されず、この上縁の直上で縮径するため、害獣を捕獲困難である。
【０００９】
本考案は、このような従来の事情に対処してなされたものであり、害獣の脚を締め付けるループ部が縮径する際に、その高さ方向の位置が当初の位置から上昇するように案内されることで、捕獲効率を向上させるくくり罠を提供することを目的とする。
【課題を解決するための手段】
【００１０】
上記目的を達成するため、第１の考案は、所定の場所に設置される外筒と、この外筒に収容され、害獣が踏み付ける踏板が内部に設けられる内筒と、くくり金具を介して一端に内筒を周回するループ部が形成されるワイヤーと、くくり金具よりも他端寄りのワイヤーに両腕が取り付けられ、ループ部が内筒から外れた場合に、ループ部を縮径する弾性体と、を備えるくくり罠であって、内筒の内周に配置される一対の支軸を介して内筒に取り付けられる１個の枠体を備え、この枠体は、その胴部に、内筒の内周面を超えてはみ出すはみ出し部が形成され、害獣が踏板を踏み付ける場合に、内筒から外れたループ部がはみ出し部に掛止され、枠体を支軸を中心として回動させることを特徴とする。
【００１１】
このような構造の考案において、弾性体は、ねじりばねや圧縮ばねが使用される。このうち、ねじりばねは、その両腕が離隔する方向に付勢されるものが使用される。そのため、実際にくくり罠を設置する際には、ねじりばねの一方の腕がくくり金具に圧接し、他方の腕がくくり金具よりも他端寄りのワイヤーに固定されたストッパーに圧接することで、ループ部が内筒を周回した状態で保持されている。なお、ループ部を後述するように縮径可能であれば、弾性体は、ねじりばねや圧縮ばね以外のばねが使用されても良い。
この状態において、害獣が踏板を踏み付けると、ループ部の中に脚が入り込むとともに、内筒が外筒の下方に落下する。これにより、ループ部が外筒の上縁に当たって上方に押し上げられ、内筒の上縁から外れることとなる。
さらに、１個の枠体は、例えば、細い短冊状の平板が円弧状やＵ字状に湾曲されてなり、その途中にはみ出し部が形成されるとともに、両端が内筒の内周に配置される支軸を中心として内筒の上縁に対しそれぞれ回動可能である構成が考えられる。
【００１２】
上記構成の考案においては、当初、ループ部は、枠体の下方で内筒を周回して配置される。次に、ループ部が内筒の上縁から外れると、弾性体の弾性力によってループ部が縮径されることから、ループ部の一部がはみ出し部に密着する。この状態でループ部はさらに縮径を継続するため、ループ部は枠体を上記のように回動させる。すなわち、はみ出し部に密着したループ部は、はみ出し部が枠体の回動に伴い到達する最大の高さに到達するまで、その密着が維持される。そして、はみ出し部が最大の高さに到達すると、ループ部は、はみ出し部から外れてさらに縮径し、害獣の脚を直接締め付けることになる。
【００１３】
また、第２の考案は、第１の考案において、はみ出し部は、ループ部が掛止される掛止部が設けられることを特徴とする。
このような構造の考案においては、第１の考案の作用に加えて、ループ部が内筒の上縁から外れた直後に、ループ部が縮径し始めることから、はみ出し部に密着したループ部は掛止部に掛止される。掛止部に掛止されたループ部は、掛止部から外れ難いために枠体の回動を持続させる。そのため、掛止部が枠体の回動に伴い最大の高さに到達するまで、ループ部の掛止が強く維持される。そして、掛止部が最大の高さに到達すると、ループ部は、掛止部から外れてさらに縮径し、害獣の脚を直接締め付けることになる。
【００１４】
さらに、第３の考案は、第１又は第２の考案において、内筒は、その上縁の一部に、この上縁と平行する切り欠きが形成され、はみ出し部は、切り欠きを介して内筒の内周面を超えてはみ出すことを特徴とする。
このような構造の考案においては、第１又は第２の考案の作用に加えて、当初、枠体は、切り欠きと同じ高さで切り欠きと平行して配置する。そのため、ループ部は、枠体と、内筒の一部に巻き付けられた状態で保持されている。すなわち、ループ部は、内筒の上縁と平行して保持されるため、害獣が踏板を踏み付ける以前に枠体が不意に回動することが防止される。
【００１５】
続いて、第４の考案は、第３の考案において、はみ出し部は、その外周面にループ部が掛止される溝部が刻設されることを特徴とする。
このような構造の考案においては、第３の考案の作用に加えて、ループ部は、当初、その一部が溝部に係止されるとともに、他部が内筒の一部に巻き付けられて配置される。このとき、害獣が踏板を踏み付けると、ループ部のうち内筒に巻き付けられた他部が外筒の上縁に当たって上方に押し上げられ内筒の上縁から外れる。一方、溝部に係止されるループ部の一部は、溝部からずれ難いために枠体の回動を持続させる。そのため、はみ出し部が枠体の回動に伴い到達する最大の高さに到達するまで、その係止が維持される。そして、はみ出し部が最大の高さに到達すると、ループ部は、溝部から外れてさらに縮径し、害獣の脚を直接締め付けることになる。
【考案の効果】
【００１６】
以上説明したように、第１の考案によれば、はみ出し部に密着したループ部は、はみ出し部が最大の高さに到達するまで、その密着が維持される。すなわち、第１の考案によれば、枠体を備えることで、縮径するループ部の高さ方向の位置を案内可能である。このように案内されたループ部は、最終的には、その高さ方向の位置が、はみ出し部が到達する最大の高さを超えるため、内筒の上縁よりも高い位置で害獣の脚を締め付けることが可能になる。
したがって、害獣の脚が内筒の上縁から素早く上昇して行く場合にも、確実に脚を締め付けることができる。すなわち、害獣に逃げられる頻度を減少できるので、捕獲効率を向上させることが可能である。
【００１７】
第２の考案によれば、第１の考案の効果に加えて、掛止部が最大の高さに到達するまで、ループ部の掛止が強く維持される。すなわち、第２の考案によれば、掛止部を備えることで、枠体が回動する間における枠体とループ部の分離を防止できるため、縮径するループ部の高さ方向の位置を確実に案内可能である。
【００１８】
第３の考案によれば、第１又は第２の考案の効果に加えて、害獣が踏板を踏み付ける以前に枠体が不意に回動することが防止されるので、ループ部が誤作動により縮径することを防止可能であり、ひいてはくくり罠を安全に仕掛けることができる。
【００１９】
第４の考案によれば、第３の考案の効果に加えて、溝部に係止されるループ部の一部は、はみ出し部が到達する最大の高さまでは、その係止が維持される。すなわち、第３の考案によれば、溝部を備えることで、枠体が回動する間におけるはみ出し部に対するループ部のずれを防止できるため、縮径するループ部の高さ方向の位置を確実に案内可能である。
【図面の簡単な説明】
【００２０】
【図１】実施例に係るくくり罠の外観側面図である。
【図２】実施例に係るくくり罠の外観斜視図である。
【図３】実施例に係るくくり罠の作用を説明する側面図である。
【図４】実施例に係るくくり罠の作用を説明する側面図である。
【図５】実施例に係るくくり罠の作用を説明する側面図である。
【図６】（ａ）は実施例の第１の変形例に係るくくり罠を構成する内筒の側面図であり、（ｂ）は実施例の第２の変形例に係るくくり罠を構成する内筒の斜視図である。
【図７】（ａ）及び（ｂ）は、それぞれ実施例の第３の変形例に係るくくり罠を構成する内筒の側面図である。
【図８】（ａ）及び（ｂ）は、それぞれ実施例の第４の変形例に係るくくり罠を構成する圧縮ばねの側面図である。
【考案を実施するための形態】
【実施例】
【００２１】
本考案の実施の形態に係るくくり罠について、図１乃至図５を用いて詳細に説明する。図１は、実施例に係るくくり罠の外観側面図である。図２は、実施例に係るくくり罠の外観斜視図である。
図１及び図２に示すように、本実施例のくくり罠１は、所定の場所に設置される外筒２と、この外筒２に収容され、害獣（図示せず）が踏み付ける略円板状の踏板４が内部に設けられる内筒３と、くくり金具５を介して一端に内筒３を周回するループ部６ａが形成されるワイヤー６と、くくり金具５よりも他端寄りのワイヤー６に腕部７ａ，７ｂが取り付けられ、ループ部６ａが内筒３から外れた場合に、ループ部６ａを縮径するねじりばね７と、を備える。
【００２２】
このうち、内筒３は、その外径が外筒２の内径よりもやや小さく構成されることで、害獣が踏板４を踏み付けると、抵抗なく外筒２の内部を下方へ降下する。そして、その際に外筒２の上縁２ａがループ部６ａを押し上げ、このループ部６ａを内筒３の上縁３ａから外せるようになっている。
また、くくり金具５は、金属製の平板材を略コ字状に屈曲してなり、かつその各面のそれぞれに貫通孔が穿たれた留め具であって、それぞれの貫通孔にワイヤー６の一端を係止するとともにワイヤー６の任意の箇所を通すことで、くくり金具５とワイヤー６とからなるループ部６ａを形成し得るものである。
さらに、ねじりばね７は、コイルばねの一種であり、コイルばねの端部に延設される腕部７ａと腕部７ｂが互いに離隔する方向に付勢されるものが使用される。そのため、くくり罠１を使用しないとき、ねじりばね７は、上記に加えて、ストッパーＳ２が腕部７ａと腕部７ｂに懸架されてその離隔が抑制され、ループ部６ａが縮径しないようになっている。
一方、くくり罠を設置する際には、腕部７ａがくくり金具５に圧接し（図３乃至図５参照）、腕部７ｂがくくり金具５よりも他端寄りのワイヤー６に固定されたストッパーＳ１に圧接することで、ループ部６ａが内筒３を周回した状態で保持される。
【００２３】
そして、くくり罠１は、内筒３の内周に配置される一対の支軸８ａ，８ｂを介して内筒３に取り付けられる１個の枠体９を備える。枠体９は、その胴部に、内筒３の内周面３ｂを超えてはみ出すはみ出し部１０が形成される。より詳細には、枠体９は、その中央部９ａに関して対称的に湾曲される円弧形状をなし、はみ出し部１０は、中央部９ａに形成される。このはみ出し部１０には、ループ部６ａが掛止される掛止部１０ａが設けられる。なお、掛止部１０ａは、はみ出し部１０に対して直交する方向へ、はみ出し部１０から外側に向かって突出する板片である。
なお、くくり金具５は、枠体９との干渉を防ぐため、側面視で枠体９が内筒３に対して略平行となっている場合において、枠体９の下方に配置されないことが望ましい。
【００２４】
次に、くくり罠１の作用について、図３乃至図５を用いながらより詳細に説明する。図３乃至図５は、実施例に係るくくり罠の作用を説明する側面図である。なお、図１及び図２で示した構成要素については、図３乃至図５においても同一の符号を付して、その説明を省略する。
図３に示すように、地中に設置されたくくり罠１は、害獣が踏板４を踏み付ける場合に、害獣の脚Ｆがループ部６ａの中に入り込むとともに、内筒３から外れたループ部６ａが掛止部１０ａに掛止される。これと同時に、ねじりばね７の腕部７ａと腕部７ｂが互いに離隔するため、ワイヤー６の他端がくくり金具５から遠ざかる方向Ｘへ引っ張られ、ループ部６ａは縮径される。これに伴い、内筒３の上縁３ａから外れたループ部６ａは、枠体９を支軸８ａ，８ｂ（図２を参照）を中心としてＲ方向へ回動させる。すなわち、掛止部１０ａは、上縁３ａの直上から高さ方向Ｙへ上昇する。
【００２５】
さらに、図４は、害獣がループ部６ａの中に入り込んだ脚Ｆを素早く持ち上げようとした場合を示したものである。図４において、腕部７ａ，７ｂ同士の離隔は継続されているため、ループ部６ａがより縮径され、掛止部１０ａを高さ方向Ｙへさらに上昇させる。そのため、掛止部１０ａに掛止されたループ部６ａは、掛止部１０ａから外れ難いために枠体９の回動を持続させる。したがって、掛止部１０ａが枠体９の回動に伴い最大の高さに到達するまで、ループ部６ａの掛止が強く維持される。すなわち、ループ部６ａは、掛止部１０ａによって案内され、枠体９のＲ方向への回動に伴って上昇しながら縮径する。
続いて、図５は、害獣が脚Ｆをさらに持ち上げた場合を示したものである。図５においても腕部７ａ，７ｂ同士の離隔は継続されているため、ループ部６ａがさらに縮径され掛止部１０ａを到達し得る最大の高さへ上昇させる。ループ部６ａの高さ方向Ｙの位置が、掛止部１０ａが到達する最大の高さを超えると、ループ部６ａは掛止部１０ａから外れることになる。その後直ちに、ループ部６ａはさらに縮径し、害獣の脚Ｆを直接締め付けることになる。
【００２６】
また、くくり罠１においては、図２に示すように、掛止部１０ａは枠体９の中央部９ａの付近に形成されることから、支軸８ａと支軸８ｂを結ぶ直線Ｋの中点Ｍからはみ出し部１０までの距離Ｌが最も長く確保される。したがって、枠体９を回動させるのに必要な力が最小となる。
【００２７】
以上説明したように、本実施例に係るくくり罠１によれば、掛止部１０ａを備えることで、枠体９が回動する間における枠体９とループ部６ａの分離を防止できる。すなわち、くくり罠１では、ループ部６ａの縮径時に、枠体９によりループ部６ａが、高さ方向Ｙに案内される仕組みになっている。
このように案内されたループ部６ａは、その高さ方向Ｙの位置が掛止部１０ａが到達する最大の高さを超えると、害獣の脚Ｆを直接締め付けることになるため、上縁３ａよりも高い位置で脚Ｆを締め付けることが可能になる。また、ループ部６ａは、ねじりばね７の弾性力によって縮径するため迅速であり、かつ強い締め付け力を発揮することができる。
したがって、害獣の脚Ｆが上縁３ａから素早く上昇して行く場合にも、ループ部６ａから脚Ｆが完全に抜け出す前に脚Ｆを捉えることができるので、確実に脚Ｆを締め付けることができる。すなわち、くくり罠１によれば、害獣に逃げられる頻度を減少させることができるので、捕獲効率を従来技術の場合よりも向上させることが可能である。
【００２８】
また、くくり罠１によれば、当初、ループ部６ａは、枠体９の下方で内筒３を周回して配置されるため、ループ部６ａを締め付けて内筒３から外れ難くすることができる。したがって、くくり罠１を設置する際に、ループ部６ａが不意に内筒３から外れることを抑止できるので、手早く設置できるとともに安全性も良好である。
さらに、くくり罠１によれば、掛止部１０ａが中央部９ａに形成されるため、枠体９を回動させるのに必要な力を最小とすることができる。そのため、ねじりばね７の弾性力を害獣の脚Ｆを締め付ける力に効率良く変換することができる。よって、自在に枠体９を回動させることが可能となるので、確実にループ部６ａを案内することができる。
【００２９】
次に、実施例の第１の変形例に係るくくり罠について、図６（ａ）を用いながら説明する。図６（ａ）は、実施例の第１の変形例に係るくくり罠を構成する内筒の側面図である。なお、図１乃至図５で示した構成要素については、図６（ａ）においても同一の符号を付して、その説明を省略する。
図６（ａ）に示すように、実施例の第１の変形例に係るくくり罠（以下、変形例１という。）においては、実施例１に係るくくり罠１の枠体９の代わりに、掛止部１０ａを有しない枠体１３を備える。なお、枠体１３のはみ出し部１３ａも、枠体９のはみ出し部１０（図１，２参照）と同様に形成される。変形例１におけるこれ以外の構成は、実施例に係るくくり罠１の構成と同様である。
【００３０】
変形例１においては、ループ部６ａは、当初、内筒１１を周回して配置される。このとき、害獣が踏板４を踏み付けると、内筒１１に巻き付けられたループ部６ａが外筒２の上縁２ａ(図１，２参照)に当たって上方に押し上げられ、内筒１１の上縁１１ａから外れることとなる。
この外れたループ部６ａは、ねじりばね７の弾性力により縮径されるため、ループ部６ａの一部がはみ出し部１３ａに密着する。そのため、ループ部６ａは枠体１３を支軸８ａ，８ｂを中心としてＲ方向へ回動させる。その後、枠体１３が回動しはみ出し部１３ａが最大の高さに到達すると、ループ部６ａは容易にはみ出し部１３ａから外れて強く縮径されることとなる。変形例１におけるこれ以外の作用は、実施例に係るくくり罠１の作用と同様である。また、変形例１によれば、くくり罠１の効果と同様の効果を発揮することができる。
【００３１】
続いて、実施例の第２の変形例に係るくくり罠について、図６（ｂ）を用いながら説明する。図６（ｂ）は、実施例の第２の変形例に係るくくり罠を構成する内筒の斜視図である。なお、図１乃至図６（ａ）で示した構成要素については、図６（ｂ）においても同一の符号を付して、その説明を省略する。
図６（ｂ）に示すように、実施例の第２の変形例に係るくくり罠（以下、変形例２という。）においては、内筒１１は、その上縁１１ａの一部に、この上縁１１ａと平行する切り欠き１２が形成され、枠体１３のはみ出し部１３ａは、切り欠き１２を介して内筒１１の内周面１１ｂを超えてはみ出し、切り欠き１２の下縁１２ａの上に置かれている。
【００３２】
このような構成の変形例２においては、当初、枠体１３は、切り欠き１２と同じ高さで切り欠き１２と平行して配置する。そのため、ループ部６ａは、枠体１３と、内筒１１の一部に巻き付けられた状態で保持されている。すなわち、ループ部６ａは、内筒１１の上縁１１ａと平行して保持されるため、害獣が踏板４を踏み付ける以前に枠体１３が不意にＲ方向へ回動することが防止される。変形例２におけるこれ以外の作用は、実施例に係るくくり罠１の作用と同様である。また、変形例２によれば、くくり罠１の効果と同様の効果を発揮することができる。
【００３３】
さらに、実施例の第３の変形例に係るくくり罠について、図７を用いながら説明する。図７（ａ）及び図７（ｂ）は、それぞれ実施例の第３の変形例に係るくくり罠を構成する内筒の側面図である。なお、図１乃至図６で示した構成要素については、図７においても同一の符号を付して、その説明を省略する。
図７（ａ）に示すように、実施例の第３の変形例に係るくくり罠（以下、変形例３という。）においては、枠体１４は、その外周面１４ｂにループ部６ａが掛止される溝部１５が周方向に沿って刻設される。溝部１５は、枠体１４のはみ出し部１４ａの周方向における中央部を中心にして左右対称的に設けられる。溝部１５の長さは、枠体１４の長さの約半分である。また、溝部１５の深さは、枠体１４が下縁１２ａに対して回動した場合において、ループ部６ａが溝部１５から外れ易いように構成される。変形例３におけるこれ以外の構成は、変形例２の構成と同様である。
【００３４】
したがって、図７（ｂ）に示すように、ループ部６ａは、当初、変形例２において切り欠き１２の下方で内筒１１の全周を周回して配置される代わりに、その一部Ｎ１が溝部１５及び溝部１５以外の枠体１４に掛止されるとともに、他部Ｎ２が外筒２の切り欠き１２部分以外の内筒１１に巻き付けられて配置される。このとき、害獣が踏板４を踏み付けると、他部Ｎ２が外筒２の上縁２ａ(図１，２参照)に当たって上方に押し上げられ内筒１１の上縁１１ａから外れる。一方、一部Ｎ１は枠体１４を支軸８ａ，８ｂを中心として切り欠き１２の下縁１２ａに対し回動させる。この回動に伴って、一部Ｎ１は、溝部１５及び溝部１５以外の枠体１４から外れる。
また、害獣が踏板４を踏み付けることによって、枠体１４には、外筒２の上縁２ａが衝突するので、この衝突によっても枠体１４の回動が誘発される。変形例３におけるこれ以外の作用は、変形例２の作用と同様である。
【００３５】
変形例３によれば、溝部１５等に掛止されるループ部６ａの一部Ｎ１が枠体１４を直接回動させるとともに、枠体１４に２の上縁２ａが衝突することによってもこの回動が誘発されることから、枠体１４を確実に回動させることができる。したがって、害獣の脚Ｆを再現性良く締め付けることができる。変形例３におけるこれ以外の効果は、変形例２の効果と同様である。
【００３６】
最後に、実施例の第４の変形例に係るくくり罠について、図８を用いながら説明する。図８（ａ）及び図８（ｂ）は、それぞれ実施例の第４の変形例に係るくくり罠を構成する圧縮ばねの側面図である。なお、図１乃至図７で示した構成要素については、図８においても同一の符号を付して、その説明を省略する。
図８（ａ）及び図８（ｂ）に示すように、実施例の第４の変形例に係るくくり罠（以下、変形例４という。）においては、実施例のくくり罠１を構成するねじりばね７の代わりに、圧縮ばね１６が使用される。この圧縮ばね１６は、コイルばね１７ａが、直列する円筒体１８，１９に収容されてなる。コイルばね１７ａは、その内部にワイヤー６が挿通するとともに、一端１７ｂが円筒体１８の端部１８ａに固定され、他端１７ｃは円筒体１９の端部１９ａに固定されている。
【００３７】
図８（ａ）に示すように、圧縮ばね１６を設置する際には、まず地表２１に細長い埋め孔２０を掘削する。次いで、円筒体１８の端部１８ａが地表２１から上昇する方向（Ｙ１方向）に向き、かつ円筒体１９の端部１９ａが地表２１から下降する方向（Ｙ２方向）に向くように、圧縮ばね１６の一部を埋め孔２０に埋設する。このとき、円筒体１８の端部１８ａがくくり金具５に圧接し、円筒体１９の端部１９ａがストッパーＳ１に圧接することで、コイルばね１７ａの伸展が抑制され、かつループ部６ａが内筒３を周回した状態で保持される。
次に、図８（ｂ）に示すように、害獣が踏板４を踏み付けると、内筒３からループ部６ａが外れることによってコイルばね１７ａの伸展抑制が解除され、一端１７ｂがＹ１方向へ上昇する。これにより、ループ部６ａは、Ｙ１方向へ引っ張られながら縮径される。変形例４におけるこれ以外の作用及び効果は、実施例の作用及び効果と同様である。
【００３８】
なお、本考案のくくり罠１、変形例１乃至変形例４は、本実施例に示す構造に限定されない。例えば、くくり罠１において、枠体９は、円弧状以外にも、Ｕ字形状に湾曲されても良い。また、掛止部１０ａは、枠体９の中央部９ａの付近に形成されなくても良い。
次に、変形例１においては、内筒３から外れたループ部６ａを係止させるため、はみ出し部１３ａの外周面に微小な凹凸が形成されても良い。
さらに、変形例２においては、はみ出し部１３ａに掛止部１０ａと同様の掛止部が設けられても良い。
また、変形例３においては、溝部１５は、枠体１４のはみ出し部１４ａの周方向における中央部を中心にして左右対称的に設けられる限り、その長さは特に限定されない。また、はみ出し部１４ａに掛止部１０ａと同様の掛止部が設けられても良い。
この他、変形例４を構成する圧縮ばね１６は、実施例の変形例１乃至変形例３を構成するねじりばね７の代わりに設けられても良い。
【産業上の利用可能性】
【００３９】
本考案は、外筒及び内筒と、弾性体で縮径されるループ部が害獣の脚部を締め付けるワイヤーと、を備えて害獣を捕獲するくくり罠として適用可能である。
【符号の説明】
【００４０】
１…くくり罠  ２…外筒  ２ａ…上縁  ３…内筒  ３ａ…上縁  ３ｂ…内周面  ４…踏板  ５…くくり金具  ６…ワイヤー  ６ａ…ループ部  ７…ねじりばね  ７ａ，７ｂ…腕部  ８ａ，８ｂ…支軸  ９…枠体  ９ａ…中央部  １０…はみ出し部  １０ａ…掛止部  １１…内筒  １１ａ…上縁  １１ｂ…内周面  １２…切り欠き  １２ａ…下縁  １３…枠体  １３ａ…はみ出し部  １４…枠体  １４ａ…はみ出し部  １４ｂ…外周面  １５…溝部  １６…圧縮ばね  １７ａ…コイルばね  １７ｂ…一端  １７ｃ…他端  １８，１９…円筒体  １８ａ，１９ａ…端部  ２０…埋め孔  ２１…地表
【図１】
0003210351.tif 000003
【図２】
0003210351.tif 000004
【図３】
0003210351.tif 000005
【図４】
0003210351.tif 000006
【図５】
0003210351.tif 000007
【図６】
0003210351.tif 000008
【図７】
0003210351.tif 000009
【図８】
0003210351.tif 000010